(57)【特許請求の範囲】
【請求項１】
プラグイン端子金具が電源側に設けられたプラグインタイプの回路遮断器を分電盤などの母線が設けられた取付板に取り付けるための前記回路遮断器と取付板の構造であって、
前記回路遮断器の負荷側には、電線を斜め上方から挿入可能な電線挿入孔を設け、さらに、前記回路遮断器の底面から突出する、しないを外部つまみで択一的に選択保持可能なロックレバーを電線挿入孔よりも下方位置に設けるとともに、
前記取付板には前記ロックレバーの嵌合部を設け、
取前記付板の上に載置した回路遮断器を前記母線の方向にスライドさせていくと前記母線がプラグイン端子金具に差し込まれていき、
前記取付板に設けられた爪部が、該爪部と対応して前記回路遮断器に設けられた凹部と嵌合することにより、
前記回路遮断器の前記取付板に対する鉛直方向の動きが規制されるとともに側面方向の動きが規制され、
前記回路遮断器の底面から前記ロックレバーが突出して前記取付板の嵌合部に嵌合することにより、前記母線から前記回路遮断器を取り外す方向の動きが規制されて、前記取付板に前記回路遮断器が取り付けられた状態となる一方、
前記ロックレバーの指掛部を前記取付板と反対の方向に引き上げて嵌合部と前記ロックレバーとの嵌合を解除してから、前記回路遮断器を前記母線と反対の方向に引き抜くように移動させることにより、
爪部と前記回路遮断器との嵌合が外れて前記回路遮断器を取付板から取り外せるようにしたことを特徴とした回路遮断器の取付構造。
【発明の詳細な説明】
【技術分野】
【０００１】
本発明は回路遮断器を分電盤の取付板に取り付けるための回路遮断器と取付板の構造に関するものである。
【背景技術】
【０００２】
図６は従来の回路遮断器６１を分電盤の取付板６２に取り付ける構造の一例である。この取付構造は、まず、取付板６２に対し回路遮断器６１が斜めになる状態で回路遮断器６１の電源側の凹部６３を取付板６２の突出部６４に嵌め合わせ、次に回路遮断器６１を取付板６２に密着させ、回路遮断器６１の負荷側に設けられた凹部６５に同じく取付板に後付けされた弾性を持つ突出部６６を嵌め合わせ、電源側の端子と母線をねじにより締付接続する構造であった。
【発明の開示】
【発明が解決しようとする課題】
【０００３】
しかしながら図１に示すようなプラグインタイプの回路遮断器は、取付板に設けられた母線とねじ無しで接続を行うためのプラグイン端子を電源側に設けており、取付板の上に回路遮断器を載置し、続いてプラグイン端子金具に母線が差し込まれるように負荷側から母線の方向にスライドさせて取付板に装着する必要があるため、図６の取付方法では取付板の上に回路遮断器を配置したときに回路遮断器の底面が突出片６６と干渉し、取付板に取付できないという不具合があった。また、取り外しの際には突出片６６の端をドライバなどの工具を用いて押圧しながら回路遮断器を取り外す必要があった。さらに、突出片６６は回路遮断器の負荷側側面から飛び出しているために、分電盤内に電線を引き回す場合、突出片６６の先端で電線被覆を傷付ける恐れがあった。
【０００４】
本発明は、上述のような従来の問題を解決し、プラグインタイプのような回路遮断器でも容易に取付でき、配線が傷付かず、取り外し時に工具を必要としない取付け構造を提供することを目的としている。
【課題を解決するための手段】
【０００５】
そこで、請求項１の発明は、プラグイン端子金具が電源側に設けられたプラグインタイプの回路遮断器を分電盤などの母線が設けられた取付板に取り付けるための前記回路遮断器と取付板の構造であって、
前記回路遮断器の負荷側には、電線を斜め上方から挿入可能な電線挿入孔を設け、さらに、前記回路遮断器の底面から突出する、しないを外部つまみで択一的に選択保持可能なロックレバーを電線挿入孔よりも下方位置に設けるとともに、
前記取付板には前記ロックレバーの嵌合部を設け、
取前記付板の上に載置した回路遮断器を前記母線の方向にスライドさせていくと前記母線がプラグイン端子金具に差し込まれていき、
前記取付板に設けられた爪部が、該爪部と対応して前記回路遮断器に設けられた凹部と嵌合することにより、
前記回路遮断器の前記取付板に対する鉛直方向の動きが規制されるとともに側面方向の動きが規制され、
前記回路遮断器の底面から前記ロックレバーが突出して前記取付板の嵌合部に嵌合することにより、前記母線から前記回路遮断器を取り外す方向の動きが規制されて、前記取付板に前記回路遮断器が取り付けられた状態となる一方、
前記ロックレバーの指掛部を前記取付板と反対の方向に引き上げて嵌合部と前記ロックレバーとの嵌合を解除してから、前記回路遮断器を前記母線と反対の方向に引き抜くように移動させることにより、
爪部と前記回路遮断器との嵌合が外れて前記回路遮断器を取付板から取り外せるようにしたことした回路遮断器の取付構造を提供したものである。
【発明の効果】
【０００６】
以上のように本発明によれば、プラグインタイプのような回路遮断器でも容易に取付でき、配線が傷付かず、取り外し時に工具を必要としない取付け構造を提供することができる。
【発明を実施するための最良の形態】
【０００７】
この発明の実施例について図面を用いて以下に詳細に説明する。図１から図３は本件発明による回路遮断器の取付構造の実施例を示したものである。
【０００８】
図１から図３において、１は電源側をプラグインタイプの端子とした回路遮断器、２は分電盤に設けられた取付板、３、４は取付板に設けられ回路遮断器１の取付板と鉛直な方向の動きを規制する爪部ａと爪部ｂ、５、６は前記爪部に対応する回路遮断器側に設けられた凹部ａと凹部ｂ、７は回路遮断器側に設けられ取付板から回路遮断器を取り外す方向の動きを規制するロックレバー、８はロックレバー７と嵌合する取付板側の嵌合部、９、１０は回路遮断器の側面を規制する突出部ａと突出部ｂである。また、１１、１２は取付板に設けられた母線、１３、１４はプラグイン端子部、１５、１６はプラグイン端子金具である。３の爪部ａと４の爪部ｂは電源側から負荷側に向けて伸びており（開放されており）、５の凹部ａと６の凹部ｂは電源側に向けて開放されている。これにより回路遮断器１を取付板２に載置して母線方向にスライドさせたときには、３の爪部ａと５の凹部ａが、４の爪部ｂと６の凹部ｂが嵌合し取付板と鉛直な方向の動きを規制することができる。
【０００９】
図１に示すロックレバー７は遮断器の底面から突出していない状態を示しているが、図４はロックレバー７が遮断器の底面から突出した様態の外観を示した。ロックレバー７は枠部７０１内を図の上端部と下端部に選択的に指掛部７０２をもって操作でき、それにより係止部７０３が底面から突出したり突出しなかったりする。
【００１０】
図５は回路遮断器内のロックレバー７の周辺の構造を示している。この状態はロックレバー７が回路遮断器底面から突出していない状態を示している。指掛部７０２は図のように回路遮断器の負荷側側面からの突出がほとんどないようにしている。回路遮断器側に設けられた突起部１７とふたつの溝１８と１９のいずれかが嵌合することにより、回路遮断器底面から突出した状態と突出しない場合の２つの位置を安定的に保持できるようにしてある。
【００１１】
このように構成された取付構造により回路遮断器を取付板に取り付ける場合について説明する。まず、図１において、回路遮断器１のロックレバー７の係止部７０３が回路遮断器底面より突出しない状態にしておき、取付板の突出部ａ９、突出部ｂ１０の間に遮断器がくるように、また４の爪部ｂが遮断器の６の凹部ｂの開口部にくるように取付板の上に載置する。この時点では爪部３、４と遮断器の凹部５、６はかみ合っていない。次に回路遮断器１を母線１１、１２の方向にスライドさせていくと母線１１、１２がプラグイン端子金具１５、１６に差し込まれていき、取付板に設けられた爪部３及び爪部４がそれぞれ回路遮断器の凹部５、凹部６と嵌合する。
【００１２】
以上により、回路遮断器は図１の上方向（取付板に対する鉛直方向）と側面方向の動きが規制されるが、この状態では、回路遮断器は母線１１，１２から遠い方向（遮断器の負荷側方向）へは取り外し可能である。
【００１３】
次にロックレバー７の指掛部７０２を指で取付板の方向に押圧すると、係止部７０３が回路遮断器の底面より突出し、取付板の嵌合部８に嵌合する。これにより母線から回路遮断器を取り外す方向の動きを規制することができ、取付板２に回路遮断器１が取付られた状態となる。
【００１４】
次に回路遮断器１を取付板２から取り外す場合について説明する。まず、ロックレバー７の指掛部７０２を取付板と反対の方向に指で引き上げ、嵌合部８とロックレバー７の係止部７０３との嵌合を解除する。次に回路遮断器１を母線１１、１２と反対の方向に引き抜くように移動させることにより、爪部３、及び爪部４と凹部５及び凹部６との嵌合が外れる。この状態で回路遮断器１を取付板から持ち上げると取付板２から取り外すことができる。
【００１５】
以上の説明のように、プラグインタイプの回路遮断器１を分電盤に設けられた取付板２に取り付けるために、取付板２と鉛直な方向の動きを規制する爪部３及び爪部４を取付板２に設けるとともに前記爪部３、４とそれぞれ対応する凹部５、及び凹部６を回路遮断器１に設け、取付板２に設けられた母線１１、１２から回路遮断器１を取り外す方向の動きを規制するロックレバー７を回路遮断器１に設けるとともに取付板２には前記ロックレバー７が嵌合する嵌合部８を設け、回路遮断器の側面を位置規制する突出部９及び突出部１０を取付板２に設けたために、プラグインタイプの回路遮断器を取付板と平行にスライドさせながら取り付けることが可能となり、分電盤内に電線を引き回す場合にもロックレバー７の指掛部は回路遮断器の負荷側側面からわずかしか突出していないため電線被覆を傷付ける恐れがない。また、回路遮断器の取り外しに工具を用いる必要がなく、工具を携帯しておく必要性もない取付構造を提供できる。
【００１６】
なお、実施例では、回路遮断器の側面を位置規制する突出部９、１０を設けた例としたが、爪部３、４と凹部５、６の巾寸法関係を適性に設定することで不要とできる。また、嵌合部８は取付板２の端部を折り曲げて形成された例で説明したが、係止部７０３の大きさに見合った穴としてもよく、穴と係止部の寸法関係で突出部９、１０を不要にできる。これらは、本件発明の請求の範囲内で適宜変更可能である。
【図面の簡単な説明】
【００１７】
【図１】回路遮断器と取付板の取り付け構造実施例。
【図２】回路遮断器と取付板の取り付け構造実施例。
【図３】回路遮断器と取付板の取り付け構造実施例。
【図４】ロックレバー部分の外観説明図。
【図５】ロックレバーと回路遮断器本体当該部分の説明図。
【図６】従来の回路遮断器と取付板の取り付け構造実施例。
【符号の説明】
【００１８】
１  回路遮断器
２  取付板
３  爪部
４  爪部
５  凹部
６  凹部
７  ロックレバー
７０２  指掛部
７０３  係止部
８  嵌合部
９  突出部
１０  突出部
１１  １２  母線
１３  １４  プラグイン端子部
１５  １６  プラグイン端子金具
１７  突起部
１８  溝
１９  溝
【図１】
0005441042.tif 000002
【図２】
0005441042.tif 000003
【図３】
0005441042.tif 000004
【図４】
0005441042.tif 000005
【図５】
0005441042.tif 000006
【図６】
0005441042.tif 000007